(57)【要約】【課題】筐体の開口部に対して精度よく位置決め可能な入力装置、該入力装置を備える電子機器及び該入力装置の組付方法を提供する。【解決手段】入力装置１０は、本体筐体１４の開口部２１の互いに対向する内壁面２１ａ，２１ｂに対してそれぞれ対向配置される一対の側面２６ａ，２６ｂを有し、一対の側面２６ａ，２６ｂのそれぞれには、各側面２６ａ，２６ｂが対向する内壁面２１ａ，２１ｂに向かって弾性変位可能な状態で突出した位置決め部４６ａ，４６ｂが設けられている。そして、各位置決め部４６ａ，４６ｂは、タッチパッド２２の回動軸部４４の軸中心Ｃの延長線Ｅ上に重なる位置に配置されている。【選択図】図７
2018060304.tif 000002
【特許請求の範囲】
【請求項１】
電子機器の筐体に設けられた開口部の内側に配置され、押下操作を受けた場合に回動軸部を中心として回動することで前記押下操作を検出する入力装置であって、
前記開口部の互いに対向する内壁面に対してそれぞれ対向配置される一対の側面を有し、
前記一対の側面のそれぞれには、各側面が対向する前記内壁面に向かって弾性変位可能な状態で突出した位置決め部が設けられ、
各位置決め部は、前記回動軸部の軸中心の延長線上に重なる位置に配置されていることを特徴とする入力装置。
【請求項２】
請求項１記載の入力装置において、
タッチ操作を受け付けるタッチ操作部と、該タッチ操作部の下面側に積層され、前記タッチ操作部に対するタッチ操作を検出する基板部と、該基板部の下面側に積層されたハウジング部とを有する入力操作部を備え、
前記入力操作部が前記筐体に固定されるベース部の上面側で前記回動軸部を中心として回動可能に支持されることで前記押下操作を受付可能であることを特徴とする入力装置。
【請求項３】
請求項１又は２記載の入力装置において、
前記位置決め部は、前記ハウジング部の側面に設けられ、弾性変形可能なアーム部と、該アーム部の先端に設けられ、前記内壁面に押し当てられる当接部とを有することを特徴とする入力装置。
【請求項４】
請求項１〜３のいずれか１項に記載の入力装置を前記開口部の内側に配置した前記筐体と、前記入力装置に対する入力操作に基づく表示を行うディスプレイ装置とを備えることを特徴とする電子機器。
【請求項５】
押下操作を受けた場合に回動軸部を中心として回動することで前記押下操作を検出する入力装置を、電子機器の筐体に形成された開口部の内側に配置する入力装置の組付方法であって、
前記入力装置は、前記開口部の互いに対向する内壁面に対してそれぞれ対向配置される一対の側面を有し、該一対の側面のそれぞれには、各側面が対向する前記内壁面に向かって弾性変位可能な状態で突出した位置決め部が設けられると共に、各位置決め部は、前記回動軸部の軸中心の延長線上に重なる位置に配置されており、
各位置決め部をそれぞれが対向する前記内壁面に対して押し当てることで、前記入力装置を前記開口部に対して前記回動軸部の軸方向で位置決めする工程を有することを特徴とする入力装置の組付方法。
【請求項６】
請求項５記載の入力装置の組付方法において、
前記入力装置は、タッチ操作を受け付けるタッチ操作部と、該タッチ操作部の下面側に積層され、前記タッチ操作部に対するタッチ操作を検出する基板部と、該基板部の下面側に積層されたハウジング部とを有する入力操作部を備え、前記入力操作部が前記筐体に固定されるベース部の上面側で前記回動軸部を中心として回動可能に支持されることで前記押下操作を受付可能であり、
各位置決め部を各内壁面に押し当てた状態で、前記ベース部を前記筐体に対して固定する工程を有することを特徴とする入力装置の組付方法。
【発明の詳細な説明】
【技術分野】
【０００１】
本発明は、押下操作を受付可能な入力装置、該入力装置を備える電子機器及び該入力装置の組付方法に関する。
【背景技術】
【０００２】
例えばノートブック型パーソナルコンピュータ（ノート型ＰＣ）では、キーボード装置以外にも、マウスの代替となるタッチパッドや機能スイッチ等の各種入力装置が設けられている。例えばタッチパッドは、指先やペン先でのタッチ操作を受けてディスプレイ装置に表示されたカーソルを操作するものである。
【０００３】
このようなタッチパッドを備えた入力装置に関し、本出願人は特許文献１において、タッチ操作及び押下操作を可能とした構成を提案している。この構成では、タッチパッドのタッチ面に複数の疑似ボタン領域が設定されており、各疑似ボタン領域をタッチしながらタッチパッドを押下操作して回動させることで各疑似ボタン領域に対応した入力操作を行うことが可能となっている。
【先行技術文献】
【特許文献】
【０００４】
【特許文献１】特開２０１３−２５４２２号公報
【発明の概要】
【発明が解決しようとする課題】
【０００５】
ところで、上記のように押下操作可能に構成されたタッチパッドのような入力装置は、通常、ノート型ＰＣのような電子機器の筐体に形成された開口部の内側に配置される。このため、入力装置の開口部に対する位置決め精度が低いと、押下操作時の回動時に入力装置が開口部の内壁面に対して干渉し、円滑な動作ができなくなる懸念がある。
【０００６】
本発明は、上記従来技術の課題を考慮してなされたものであり、筐体の開口部に対して精度よく位置決め可能な入力装置、該入力装置を備える電子機器及び該入力装置の組付方法を提供することを目的とする。
【課題を解決するための手段】
【０００７】
本発明に係る入力装置は、電子機器の筐体に設けられた開口部の内側に配置され、押下操作を受けた場合に回動軸部を中心として回動することで前記押下操作を検出する入力装置であって、前記開口部の互いに対向する内壁面に対してそれぞれ対向配置される一対の側面を有し、前記一対の側面のそれぞれには、各側面が対向する前記内壁面に向かって弾性変位可能な状態で突出した位置決め部が設けられ、各位置決め部は、前記回動軸部の軸中心の延長線上に重なる位置に配置されていることを特徴とする。
【０００８】
このような構成によれば、当該入力装置は、電子機器の筐体に設けられた開口部の内側に配置するだけで、各位置決め部の開口部の各内壁面に対する弾性支持作用によって回動軸部の軸方向に位置決めされる。このため、押下操作が可能な当該入力装置を開口部に対して容易に且つ精度よく位置決めすることができる。しかも当該入力装置は、回動軸部の軸中心の延長線上に重なる位置に各位置決め部を配置している。このため、各位置決め部が押下操作時に上下動せず、実質的に回動軸部の一部として機能する。このため、位置決め部が押下操作時に開口部の内壁面に干渉することを防止できる。
【０００９】
タッチ操作を受け付けるタッチ操作部と、該タッチ操作部の下面側に積層され、前記タッチ操作部に対するタッチ操作を検出する基板部と、該基板部の下面側に積層されたハウジング部とを有する入力操作部を備え、前記入力操作部が前記筐体に固定されるベース部の上面側で前記回動軸部を中心として回動可能に支持されることで前記押下操作を受付可能な構成であってもよい。そうすると、タッチ操作部を備えた入力操作部をベース部の上面側で回動可能に支持することで、タッチ操作に加えて押下操作も可能とした入力装置、例えばクリックパッドを電子機器の筐体に確実に位置決め配置できる。
【００１０】
前記位置決め部は、前記ハウジング部の側面に設けられ、弾性変形可能なアーム部と、該アーム部の先端に設けられ、前記内壁面に押し当てられる当接部とを有する構成であってもよい。そうすると、位置決め部を簡素且つ低コストで設けることができる。
【００１１】
本発明に係る電子機器は、上記構成の入力装置を前記開口部の内側に配置した前記筐体と、前記入力装置に対する入力操作に基づく表示を行うディスプレイ装置とを備えることを特徴とする。従って、当該電子機器は例えばノート型ＰＣとして好適に使用できる。
【００１２】
本発明に係る入力装置の組付方法は、押下操作を受けた場合に回動軸部を中心として回動することで前記押下操作を検出する入力装置を、電子機器の筐体に形成された開口部の内側に配置する入力装置の組付方法であって、前記入力装置は、前記開口部の互いに対向する内壁面に対してそれぞれ対向配置される一対の側面を有し、該一対の側面のそれぞれには、各側面が対向する前記内壁面に向かって弾性変位可能な状態で突出した位置決め部が設けられると共に、各位置決め部は、前記回動軸部の軸中心の延長線上に重なる位置に配置されており、各位置決め部をそれぞれが対向する前記内壁面に対して押し当てることで、前記入力装置を前記開口部に対して前記回動軸部の軸方向で位置決めする工程を有することを特徴とする。従って、電子機器の筐体の開口部に押下操作が可能な入力装置を容易に且つ精度よく位置決め固定できる。
【００１３】
前記入力装置は、タッチ操作を受け付けるタッチ操作部と、該タッチ操作部の下面側に積層され、前記タッチ操作部に対するタッチ操作を検出する基板部と、該基板部の下面側に積層されたハウジング部とを有する入力操作部を備え、前記入力操作部が前記筐体に固定されるベース部の上面側で前記回動軸部を中心として回動可能に支持されることで前記押下操作を受付可能であり、各位置決め部を各内壁面に押し当てた状態で、前記ベース部を前記筐体に対して固定する工程を有してもよい。そうすると、タッチ操作に加えて押下操作も可能とした入力装置、例えばクリックパッドを電子機器の筐体に確実に位置決め配置できる。
【発明の効果】
【００１４】
本発明によれば、押下操作が可能な入力装置を開口部に対して容易に且つ精度よく位置決めすることができる。
【図面の簡単な説明】
【００１５】
【図１】図１は、本発明の一実施形態に係る入力装置を備えた電子機器の斜視図である。
【図２】図２は、本発明の一実施形態に係る入力装置の構成を模式的に示す側面図である。
【図３】図３は、図２に示す入力装置の側面断面図である。
【図４】図４は、図２に示す入力装置の平面図である。
【図５】図５は、ハウジングプレートの平面図である。
【図６】図６は、ハウジングプレートの要部拡大斜視図である。
【図７】図７は、本体筐体の開口部内に入力装置を組み付けた状態を模式的に示す正面断面図である。
【発明を実施するための形態】
【００１６】
以下、本発明に係る入力装置について、この入力装置を備える電子機器との関係で好適な実施の形態を挙げ、添付の図面を参照しながら詳細に説明する。
【００１７】
図１は、本発明の一実施形態に係る入力装置１０を備えた電子機器１２の斜視図である。以下では、入力装置１０について図１に示す電子機器１２に搭載された状態での使用形態を基準とし、手前側を前側（前方）、奥側を後側（後方）と呼び、電子機器１２を構成する本体筐体１４の厚み方向を上下方向、幅方向を左右方向と呼んで説明する。
【００１８】
図１に示すように、電子機器１２は、入力装置１０及びキーボード装置１６を有する本体筐体１４と、液晶ディスプレイ等のディスプレイ装置１８ａを有するディスプレイ筐体１８とを備えたノート型ＰＣである。ディスプレイ筐体１８は、左右一対のヒンジ１９，１９により本体筐体１４に対して開閉可能に連結されている。
【００１９】
本体筐体１４の内部には、図示しない基板、演算処理装置、ハードディスク装置、メモリ等の各種電子部品が収納されている。入力装置１０及びキーボード装置１６は、本体筐体１４の上面上で前後に並んでいる。キーボード装置１６の略中央にはポインティングスティック２０が設けられている。ポインティングスティック２０はディスプレイ装置１８ａに表示されるカーソル（マウスポインタ）を操作するためのものであり、マウスの代わりとして操作可能な入力手段である。
【００２０】
次に、入力装置１０の構成例について説明する。
【００２１】
図２は、本発明の一実施形態に係る入力装置１０の構成を模式的に示す側面図である。図３は、図２に示す入力装置１０の側面断面図である。図４は、図２に示す入力装置１０の平面図である。
【００２２】
図１〜図４に示すように、入力装置１０は、本体筐体１４の上面に設けられた開口部２１の内側に配置される。入力装置１０は、指先等の接近又は接触によるタッチ操作を受け付けるタッチパッド（入力操作部）２２を備える。入力装置１０は、ディスプレイ装置１８ａに表示されるカーソル（マウスポインタ）を操作するためのものであり、マウスの代わりとして操作可能な入力手段である。
【００２３】
タッチパッド２２は、タッチ操作に加えて押下操作によるクリック動作が可能なクリックパッドとして構成されている。タッチパッド２２の表面であるタッチ操作面２２ａには、例えば疑似ボタン領域が複数設定される。各疑似ボタン領域は、タッチ操作面２２ａ上でのそれぞれの領域が座標で定義されたものであり、視認できるものではない。疑似ボタン領域は、例えば一般的なマウスでの左ボタンや右ボタンに対応する。各疑似ボタン領域のいずれかに指先を接触させた状態でタッチパッド２２を押下操作すると、その疑似ボタン領域に対応した処理や表示が行われる。
【００２４】
図２及び図３に示すように、タッチパッド２２は、金属製の板状部材であるベースプレート（ベース部）２４の上面側で回動可能に支持されている。タッチパッド２２は、ベースプレート２４側となる下側から上側に向かって順に、ハウジングプレート（ハウジング部）２６と、基板（基板部）２８と、パッドプレート（タッチ操作部）３０とを有する３層構造である。
【００２５】
ハウジングプレート２６は、ベースプレート２４に対面配置され、タッチパッド２２の底面板となる。ハウジングプレート２６は、平面視矩形状の樹脂板である。ハウジングプレート２６は、基板２８及びパッドプレート３０を保持する筐体部材である。
【００２６】
基板２８は、ハウジングプレート２６の上面に積層され、タッチ操作面２２ａに対するタッチ操作を検出する。基板２８は、平面視矩形状の基板である。基板２８は、パッドプレート３０へのタッチ操作及びタッチパッド２２に対する押下操作を検出するセンサである。基板２８は、ハウジングプレート２６の上面に接着剤や両面テープ等によって固着される。基板２８は、図示しない配線によって本体筐体１４内の基板に接続される。
【００２７】
パッドプレート３０は、基板２８の上面に積層され、その表面がタッチ操作を受け付けるタッチ操作面２２ａとなる。パッドプレート３０は、平面視矩形状のガラス板や樹脂板である。パッドプレート３０は、基板２８の上面に接着剤や両面テープ等によって固着される。
【００２８】
図３に示すように、ハウジングプレート２６の後端側には、後方に向かって延びた弾性片３２が左右に複数（本実施形態では４個。図５参照）並設されている。弾性片３２は、その左右両側部及び後部を板厚方向に切り欠いて狭幅舌片状に形成されることで、ある程度の弾性を有した片持ち構造の部分である。弾性片３２の先端（後端）には、下方に湾曲しつつ位置ずれした爪部３２ａが設けられている。弾性片３２は、基板２８の下面に対して固着されず、且つ少なくとも爪部３２ａが基板２８との間に所定の隙間を設けて配設される。爪部３２ａは、その上面と基板２８の下面との間にベースプレート２４の上面を切り起こした突出片３４を挟み込む。
【００２９】
ハウジングプレート２６の前端側には、ラッチ部３６が左右一対設けられている。ラッチ部３６は平面視略Ｖ字形状である。ラッチ部３６は、ベースプレート２４の上面で断面Ｌ字状に起立形成された結合用フック３８に係合される。ラッチ部３６及び結合用フック３８は、ベースプレート２４に対してハウジングプレート２６を重ねる方向に結合する機能を有し、さらにタッチパッド２２の上昇限度を規定すると同時に上方への抜け止めとしても機能する。
【００３０】
ハウジングプレート２６は、各弾性片３２の爪部３２ａがベースプレート２４の各突出片３４に対してそれぞれ回動可能に係合される。これにより、爪部３２ａと突出片３４の係合部分を支点とし、ハウジングプレート２６（タッチパッド２２）がベースプレート２４に対して回動可能（上下動可能）に支持される。この際、爪部３２ａは、ベースプレート２４の上面で弾性変位可能に突出した弾性押圧部４０によって押圧され、突出片３４と弾性押圧部４０との間に確実に挟持される。弾性押圧部４０は、ハウジングプレート２６の弾性片３２と同様、その左右両側部及び後部を板厚方向に切り欠いて狭幅舌片状に形成されることで、ある程度の弾性を有して後方へと延びた片持ち構造の板ばね状部材である。
【００３１】
図３に示すように、ハウジングプレート２６の下面略中央の前端付近には、検出スイッチ４２が配設されている。検出スイッチ４２は、タッチパッド２２が押下操作された際に所定の検出信号を発信するものである。検出スイッチ４２は、例えばハウジングプレート２６の下面から下に向かって膨らんだメタルドームスイッチである。検出スイッチ４２は、タッチパッド２２が押下された際にベースプレート２４上に当接することでオンされ、このオン信号が基板２８によって検出される。
【００３２】
従って、入力装置１０では、タッチパッド２２が押下操作されると、タッチパッド２２は各爪部３２ａと各突出片３４との係合部分を回動支点とし、ベースプレート２４上で前端側が下方へと移動しつつ回動（上下動）する。これにより、ハウジングプレート２６の前端側下面に設けられた検出スイッチ４２がベースプレート２４の上面で押圧されてオンされる。このように、左右方向に一列に並んだ各爪部３２ａと各突出片３４との係合部分が、タッチパッド２２の回動軸部４４となる。図２及び図３では、左右方向に延在する回動軸部４４の軸中心Ｃに直交する鉛直方向の垂線Ｎを１点鎖線で図示し、入力装置１０の前後方向での回動軸部４４の位置を示している。
【００３３】
入力装置１０はタッチパッド２２を回動可能な押下スイッチ構造を有する。このため、入力装置１０は本体筐体１４の開口部２１内での位置決め精度が低いと、回動動作時にタッチパッド２２が開口部２１の内壁面に干渉し、円滑な押下動作が行われない可能性がある。そこで、本実施形態に係る入力装置１０は、開口部２１内で精度よく且つ容易に位置決めするための位置決め部４６ａ，４６ｂをハウジングプレート２６に備える。
【００３４】
先ず、位置決め部４６ａ，４６ｂの構成を説明する。図５は、ハウジングプレート２６の平面図である。図６は、ハウジングプレート２６の要部拡大斜視図である。
【００３５】
図５及び図６に示すように、入力装置１０のハウジングプレート２６は、互いに対となる左右の側面２６ａ，２６ｂにそれぞれ位置決め部４６ａ，４６ｂを有する。なお、図５中の参照符号５１は、検出スイッチ４２が着地してオンされるスイッチ押圧部である。
【００３６】
一方の位置決め部４６ａは、アーム部４８と、当接部５０とを有する。アーム部４８は、側面２６ａの一部を形成するように前側から後側に向かって突出している。当接部５０はアーム部４８の先端（後端）の側面に設けられ、外側（左側）に向かって突出したテーパ形状の部分である。アーム部４８は逃げ孔４９を介してハウジングプレート２６の側面２６ａに設けられ、基端（前端）が片持ち構造とされた弾性変形可能な狭幅舌片状の部分である。つまりアーム部４８は側面２６ａで左右方向に弾性変形可能な板ばね状部材である。位置決め部４６ａは、図５に示す外力が付与されていない場合にアーム部４８の外面が側面２６ａと面一となり、当接部５０のみが外側に突出した状態となる。つまり、当接部５０（位置決め部４６ａ）は側面２６ａから外側に向かって弾性変位可能な状態で突出している（図４及び図５参照）。なお、逃げ孔４９は当接部５０に外力が付与された際、当接部５０を側面２６ａと面一又は側面２６ａよりも内側となる位置まで変位可能な大きさを有する。
【００３７】
他方の位置決め部４６ｂは、上記した位置決め部４６ａと左右対称構造である以外は同一の構造である（図５参照）。すなわち、位置決め部４６ｂは、アーム部４８及び当接部５０を有し、側面２６ｂから弾性変位可能な状態で突出している。
【００３８】
図５に示すように、各位置決め部４６ａ，４６ｂの当接部５０は、タッチパッド２２の回動軸部４４の軸中心Ｃの延長線Ｅ上に重なる位置に配置されている（図２も参照）。
【００３９】
次に、位置決め部４６ａ，４６ｂを用いた入力装置１０の本体筐体１４に対する組付方法を説明する。図７は、本体筐体１４の開口部２１内に入力装置１０を組み付けた状態を模式的に示す正面断面図である。
【００４０】
本実施形態の場合、入力装置１０は、図２及び図３に示すようにタッチパッド２２をベースプレート２４上に支持したアセンブリ部品として予め準備される。この入力装置１０が配設される本体筐体１４の開口部２１は、例えば図７に示すように本体筐体１４の上面に開口した矩形凹状のバスタブ形状を有する。
【００４１】
入力装置１０を本体筐体１４に組み付ける際は、先ず、入力装置１０の前後左右の向きを合わせて上部開口から開口部２１内に挿入する。そうすると、図７に示すように、左右の側面２６ａ，２６ｂから突出している位置決め部４６ａ，４６ｂの当接部５０，５０が、それぞれ対向する開口部２１の左右の内壁面２１ａ，２１ｂに押し当てられる。これによりアーム部４８が内側に弾性変形し、入力装置１０が左右の内壁面２１ａ，２１ｂ間で位置決め部４６ａ，４６ｂを介して弾性支持された状態となる。つまり、入力装置１０が開口部２１に対して回動軸部４４の軸方向（左右方向）で位置決め（センタリング）され、左右の側面２６ａ，２６ｂと左右の内壁面２１ａ，２１ｂとの間の隙間Ｇが一定に設定される（図７参照）。
【００４２】
次に、開口部２１の底面の下面側から図示しない孔部にねじ５２を通し、ベースプレート２４に設けたねじ穴に螺合させる。これによりベースプレート２４が開口部２１の底面と締結され、入力装置１０の本体筐体１４に対する位置決め固定が完了する。
【００４３】
なお、入力装置１０の開口部２１に対する前後方向の位置決めも行う場合は、例えば図示しない薄いシートを入力装置１０の前後側面と開口部２１の前後内壁面との間に介在させておき、ねじ５２の固定後にこのシートを抜き取る等の方法によって行えばよい。
【００４４】
以上のように、本実施形態に係る入力装置１０は、本体筐体１４の開口部２１の互いに対向する内壁面２１ａ，２１ｂに対してそれぞれ対向配置される一対の側面２６ａ，２６ｂを有し、一対の側面２６ａ，２６ｂのそれぞれには、各側面２６ａ，２６ｂが対向する内壁面２１ａ，２１ｂに向かって弾性変位可能な状態で突出した位置決め部４６ａ，４６ｂが設けられている。そして、各位置決め部４６ａ，４６ｂは、タッチパッド２２の回動軸部４４の軸中心Ｃの延長線Ｅ上に重なる位置に配置されている。
【００４５】
従って、入力装置１０は、開口部２１の内側に配置するだけで、各位置決め部４６ａ，４６ｂの開口部２１の内壁面２１ａ，２１ｂに対する弾性支持作用によって回動軸部４４の軸方向に位置決めされる。このため、入力装置１０を開口部２１に対して容易に且つ精度よく位置決めすることができる。その結果、タッチパッド２２の押下操作時に入力装置１０が開口部２１の内壁面２１ａ，２１ｂに干渉し、円滑な動作ができなくなる事態を防止できる。しかも入力装置１０は回動軸部４４の軸中心Ｃの延長線Ｅ上に重なる位置に各位置決め部４６ａ，４６ｂを配置している。このため、各位置決め部４６ａ，４６ｂが押下操作時に上下動せず、実質的に回動軸部４４の一部として機能する。このため、位置決め部４６ａ，４６ｂが押下操作時に開口部２１の内壁面２１ａ，２１ｂに干渉することも防止できる。
【００４６】
この場合、位置決め部４６ａ，４６ｂは、ハウジングプレート２６の側面２６ａ，２６ｂに設けられ、弾性変形可能なアーム部４８と、アーム部４８の先端に設けられ、開口部２１の内壁面２１ａ，２１ｂに押し当てられる当接部５０とを有する。このため、例えば位置決め部４６ａ，４６ｂをハウジングプレート２６と容易に一体成形することができ、簡素且つ低コストで設置できる。なお、当該入力装置１０の位置決め部４６ａ，４６ｂは、ハウジングプレート２６に一体成形した構成であるが（図５及び図６参照）、位置決め部４６ａ，４６ｂはハウジングプレート２６と別体に形成されて該ハウジングプレート２６に取付固定された構成であってもよい。位置決め部４６ａ，４６ｂの弾性変位構造は、アーム部４８を用いた構成以外、例えばコイルばねや板ばねを用いた構成等であってもよい。また位置決め部４６ａ，４６ｂは、例えばベースプレート２４に設けられてもよい。
【００４７】
なお、本発明は、上記した実施形態に限定されるものではなく、本発明の主旨を逸脱しない範囲で自由に変更できることは勿論である。
【００４８】
上記した実施形態では、ノート型ＰＣである電子機器１２に対して入力装置１０を搭載した構成を例示したが、入力装置１０はデスクトップ型ＰＣ等に接続される単体のキーボード装置等に搭載されてもよい。また、入力装置１０は、タッチ操作と押下操作を受け付けるクリックパッド以外の構成でもよく、回動軸部を介して押下操作を受付可能なスイッチ構造を有するものであればよい。
【００４９】
上記した実施形態では、爪部３２ａと突出片３４との係合部分を回動軸部４４とした構成を例示したが、回動軸部は軸ピンを軸受けに軸支した構成等であってもよい。
【符号の説明】
【００５０】
１０  入力装置
１２  電子機器
１４  本体筐体
１６  キーボード装置
１８  ディスプレイ筐体
１８ａ  ディスプレイ装置
２１  開口部
２１ａ，２１ｂ  内壁面
２２  タッチパッド
２２ａ  タッチ操作面
２４  ベースプレート
２６  ハウジングプレート
２６ａ，２６ｂ  側面
２８  基板
３０  パッドプレート
４４  回動軸部
４６ａ，４６ｂ  位置決め部
４８  アーム部
５０  当接部
５２  ねじ
Ｃ  軸中心
Ｅ  延長線
Ｎ  垂線
【図１】
2018060304.tif 000003
【図２】
2018060304.tif 000004
【図３】
2018060304.tif 000005
【図４】
2018060304.tif 000006
【図５】
2018060304.tif 000007
【図６】
2018060304.tif 000008
【図７】
2018060304.tif 000009
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
電子機器の筐体に設けられた開口部の内側に配置され、押下操作を受けた場合に回動軸部を中心として回動することで前記押下操作を検出する入力装置であって、
前記開口部の互いに対向する内壁面に対してそれぞれ対向配置される一対の側面を有し、
前記一対の側面のそれぞれには、各側面が対向する前記内壁面に向かって弾性変位可能な状態で突出した位置決め部が設けられ、
各位置決め部は、前記回動軸部の軸中心の延長線上に重なる位置に配置されていることを特徴とする入力装置。
【請求項２】
請求項１記載の入力装置において、
タッチ操作を受け付けるタッチ操作部と、該タッチ操作部の下面側に積層され、前記タッチ操作部に対するタッチ操作を検出する基板部と、該基板部の下面側に積層されたハウジング部とを有する入力操作部を備え、
前記入力操作部が前記筐体に固定されるベース部の上面側で前記回動軸部を中心として回動可能に支持されることで前記押下操作を受付可能であることを特徴とする入力装置。
【請求項３】
請求項２記載の入力装置において、
前記位置決め部は、前記ハウジング部の側面に設けられ、弾性変形可能なアーム部と、該アーム部の先端に設けられ、前記内壁面に押し当てられる当接部とを有することを特徴とする入力装置。
【請求項４】
請求項１〜３のいずれか１項に記載の入力装置を前記開口部の内側に配置した前記筐体と、前記入力装置に対する入力操作に基づく表示を行うディスプレイ装置とを備えることを特徴とする電子機器。
【請求項５】
押下操作を受けた場合に回動軸部を中心として回動することで前記押下操作を検出する入力装置を、電子機器の筐体に形成された開口部の内側に配置する入力装置の組付方法であって、
前記入力装置は、前記開口部の互いに対向する内壁面に対してそれぞれ対向配置される一対の側面を有し、該一対の側面のそれぞれには、各側面が対向する前記内壁面に向かって弾性変位可能な状態で突出した位置決め部が設けられると共に、各位置決め部は、前記回動軸部の軸中心の延長線上に重なる位置に配置されており、
各位置決め部をそれぞれが対向する前記内壁面に対して押し当てることで、前記入力装置を前記開口部に対して前記回動軸部の軸方向で位置決めする工程を有することを特徴とする入力装置の組付方法。
【請求項６】
請求項５記載の入力装置の組付方法において、
前記入力装置は、タッチ操作を受け付けるタッチ操作部と、該タッチ操作部の下面側に積層され、前記タッチ操作部に対するタッチ操作を検出する基板部と、該基板部の下面側に積層されたハウジング部とを有する入力操作部を備え、前記入力操作部が前記筐体に固定されるベース部の上面側で前記回動軸部を中心として回動可能に支持されることで前記押下操作を受付可能であり、
各位置決め部を各内壁面に押し当てた状態で、前記ベース部を前記筐体に対して固定する工程を有することを特徴とする入力装置の組付方法。